(57)【要約】【課題】従来のばっ気式ろ過装置は、エア供給管の一端をばっ気式ろ過装置下部の散気装置に接続し、該ばっ気式ろ過装置上部に吸引管の一端が接続され、吸引ポンプによってろ過液を移送していた。そのため、吸引ポンプを駆動する操作盤、電磁弁、および、フロートスイッチなどが必要でコスト高となるため、安価なばっ気式ろ過装置の排水装置の提供が切望されていた。【解決手段】本発明は、汚水槽中に配設されたばっ気式ろ過装置であって、同ばっ気式ろ過装置の底面にはエア供給管を介して供給されたエアを用いてろ過面に沿って気泡を発生させる散気装置を具えたものにおいて、一端がろ過装置のろ過液側に開口し他端が汚水面より上方の移流管に接続されたエアリフト管と、前記エア供給管より分岐して前記エアリフト管の下側に連結されたエア送給管とを具え、さらに上記ばっ気式ろ過装置が水中スクリーン、中空糸膜、平膜のいずれかからなる排水装置とした。【選択図】図１
2013240775.tif 000002
【特許請求の範囲】
【請求項１】
汚水槽中に配設されたばっ気式ろ過装置であって、同ばっ気式ろ過装置の底面にはエア供給管を介して供給されたエアを用いてろ過面に沿って気泡を発生させる散気装置を具えたものにおいて、一端が前記ろ過装置のろ過液側に開口し他端が汚水面より上方の移流管に接続されたエアリフト管と、前記エア供給管より分岐して前記エアリフト管の下側に連結されたエア送給管とを備えたことを特徴とするばっ気式ろ過装置の排水装置。
【請求項２】
上記ばっ気式ろ過装置が水中スクリーン、中空糸膜、平膜のいずれかからなることを特徴とする請求項１に記載のばっ気式ろ過装置の排水装置
【発明の詳細な説明】
【技術分野】
【０００１】  本発明は、主に高濃度の汚水を処理する汚水処理施設における糞尿や屎尿、雑排水、産業排水等の高濃度の汚水を固体と液体とに分離させる後処理を行うためのばっ気式ろ過装置に関するものであり、更に、詳細には、ろ過した処理水の排水装置に関するものである。
【背景技術】
【０００２】  従来、この種の高濃度の汚水処理施設においては、傾斜させて立設した微細目スクリーンと、散気管から発生する気泡によって、微細目スクリーンに目詰まりを起こすこと無く、旋回流を発生させ、この旋回流によって汚物を微細に分解させるもので、スクリーン取着手段を対向する２側面を開口させた箱状に形成した簡易な構造で廉価で、且つ、連続して高濃度の汚水の固液の分離を可能とするばっ気式水中スクリーンシステム等が開発され使用されている（特許文献１参照）。【０００３】  然し乍ら、このばっ気式水中スクリーンにおいて、固液分離されたろ過液体を次処理工程に移送するために、吸引ポンプが使用されている。
【先行技術文献】
【特許文献】
【０００４】
【特許文献１】  ＷＯ２００２／０６０５５４
【発明の概要】
【発明が解決しようとする課題】
【０００５】  従来の水中スクリーン式ばっ気ろ過装置は、図３に示すようにエア送給管００３を水中スクリーン式ばっ気ろ過装置００１下部の散気装置００４に接続し、該ばっ気ろ過装置００１の上部に吸引管００５が接続され、吸引ポンプ００６によってろ過液を移送していた。そのため、吸引ポンプを駆動する操作盤、電磁弁、および、フロートスイッチなどが必要でコスト高となるため、安価なばっ気式ろ過装置の排水装置の提供が切望されていた。【０００６】  また、中空糸膜式ばっ気ろ過装置においても、図４に示すようにエア送給管００３を中空糸膜式ばっ気ろ過装置０２０下部の散気装置００４に接続する一方、ろ過液は、中空糸膜式ばっ気ろ過装置０２０の上部に設けた吸引管００５から吸引ポンプ００６によってろ過液を移送していた。そのために、吸引ポンプを駆動する操作盤、電磁弁、および、フロートスイッチなどが必要でコスト高となるため、安価なばっ気式ろ過装置の排水装置の提供が切望されていた。【０００７】  本発明は、汚水槽中に配設されたばっ気式ろ過装置であって、同ばっ気式ろ過装置の底面にはエア供給管を介して供給されたエアを用いてろ過面に沿って気泡を発生させる散気装置を具えたものにおいて、一端がろ過装置のろ過液側に開口し他端が汚水面より上方の移流管に接続されたエアリフト管と、前記エア供給管より分岐して前記エアリフト管の下側に連結されたエア送給管とを具えたことを特徴とするばっ気式ろ過装置の排水装置であり、さらに上記ばっ気式ろ過装置が水中スクリーン、中空糸膜、平膜のいずれかからなることを特徴とするばっ気式ろ過装置の排水装置である。
【発明の効果】
【０００８】  本発明は、前述の構成としたことにより、吸引ポンプを駆動する操作盤、電磁弁、および、フロートスイッチなどが不要となり、コスト低減を図った安価なばっ気式ろ過装置の排水装置が提供できた。
【図面の簡単な説明】
【０００９】
【図１】本発明のばっ気式ろ過装置に水中スクリーンを用いた実施例を示す説明図である。
【図２】本発明のばっ気式ろ過装置に中空糸膜を用いた実施例を示す説明図である。
【図３】ばっ気式ろ過装置にスクリーンを用いた従来例を示す説明図である。
【図４】ばっ気式ろ過装置に中空糸膜を用いた従来例を示す説明図である。
【発明を実施するための形態】
【００１０】  以下、本発明のばっ気式水中スクリーンシステムの実施の形態を図面によって具体的に説明する。
【００１１】  まず、図１において、ばっ気式ろ過装置に水中スクリーンを用いた実施例を説明する。高濃度の汚水の固液を分離させるための固液分離槽１０内に配置されたろ過箱１には、その側面に傾斜して微細目スクリーン２が形成されている。また、ろ過箱１の外側底には、エア供給管３を介して供給されたエアを用いて気泡６を前記微細目スクリーン２の面に沿って上昇させる散気装置４が配置されている。
５は、一端が前記ろ過箱１内の底部分のろ過液側に開口接続され、他端が汚水面１２より上方の移流管１３に接続されたエアリフト管である。７は同移流管１３に対向するように形成されたろ過液を固液分離槽１０に戻すための循環管で、エア抜きの役目も果たす。移流管１３にはバルブ８が設けられており、このバルブ８でろ過液の移流管１３内の流量を調整する。９は、前記エア供給管３より分岐して前記エアリフト管５の下部とを連通するエア送給管である。１１は同エア送給管９の中間に設けられた調整バルブであり、エアリフト管５へのエア送給量を調整する。
【００１２】  このように構成された水中スクリーン２を有するばっ気ろ過装置は、固液分離槽１０にて、高濃度の汚水の固液を分離したりろ過したりするものであり、主に汚水処理施設における糞尿や屎尿、雑排水、産業排水など高濃度の汚水の処理施設の後処理及び粉粒状の微細な固体成分を含んだ汚水から固体成分を分離除去を行うものである。図示する如く、傾斜させた微細目スクリーン２で固液分離槽１０をろ過箱３の外側の流入側と、ろ過箱３の内側すなわちろ過液側とに仕切り、微細目スクリーン２の下方に散気装置４を配設したことによって、散気装置６から放出される気泡が微細目スクリーン２の面に沿って上昇し、固形物を分解すると共に、固液分離槽１０すなわち汚水槽において旋回流を発生させるものである。比重の重たい固形物は下方に沈殿し、比重の軽い分解されない固形物は旋回流の中心部に集まるようにしたものである。
【００１３】  まず、エア供給管３から散気装置４へエアを供給して、微細目スクリーン２の下方の巾方向の全長にわたって気泡を発生させる。散気装置４から発生する気泡６が微細目スクリーン２の面に沿って上昇し、微細目スクリーン２に絡み着こうとするし渣等の固形物を上昇させる。この上昇に伴ってし渣等の固形物は微細目スクリーン２の面にぶっつけられ、又，気泡６そのものが衝突することによって細分解される。
【００１４】  次に、調整バルブ１１を開放してエアリフト管５の下側からエアを送給する。エアリフト管５内を気泡が上昇するのに伴い、ろ過箱１内のろ過液は上方へ押し上げられて移流管１３を介して移送される。バルブ８を調整して移流量が調節される。また、循環管７からは余剰のろ過液が固液分離槽１０に戻されるとともに循環管７はエア抜きの役目も行う。もともとエアリフト管５内の水位は汚水面１２までは、自然圧で上昇するがそれ以上にリフトアップしたいときにエアによる押し上げ力が有効に作用する。なお、ろ過箱１がその高さの２／３が汚水面１２下にあれば、残りの１／３はろ過液を押し上げることができる。なおリフトアップ能力を発揮させたいときには、図１において点線で示すように、ろ過箱１に接続されたエアリフト管５を一旦水深方向に折り曲げてから上昇させるように構成し、実線での接続位置よりさらに深い位置でエアリフト管５とエア送給管９とを接続するとよい。
【００１５】  第２図によって中空糸膜式ろ過装置２０について説明する。固液分離を行うためのこの装置は、多数の中空糸２１を膜状に形成した中空糸膜２２を枠体２３に取り付けたものである。中空糸２１は、形状としてそうめん状で、糸の中が空洞であり、外側に図示せざる０．４μ程度の開孔部を有している。そして同開孔部よりの浸透水を枠体２３に設けた流路２４を介して取り出す構造となっている。この中空糸膜式ろ過装置２０は、固液分離槽１０内に配置される。
【００１６】  また、中空糸膜式ろ過装置２０の外側底には、エア供給管３を介して供給されたエアを用いて気泡を前記中空糸膜２２の面に沿って上昇させる散気装置４が配置されている。一方エアリフト管５は、一端が前記中空糸膜式ろ過装置２０の底部分の流路２４に接続され、他端が汚水面１２より上方の移流管１３に接続されている。同じく同移流管１３に対向するように形成されたろ過液を固液分離槽１０に戻すための循環管７を備え、この循環管７はエア抜きの役目も果たす。移流管１３にはバルブ８が設けられており、このバルブ８でろ過液の移流管１３内の流量を調整する。また、前記エア供給管３より分岐して前記エアリフト管５の下部とを連通するエア送給管９が設けられている。同エア送給管９の中間に設けられた調整バルブ１１を調整して、エアリフト管５へのエア送給量を調整する。
【００１７】  まず、エア供給管３から散気装置４へエアを供給して、中空糸膜２２の下方の巾方向の全長にわたって気泡を発生させる。散気装置４から発生する気泡が中空糸膜２２の面に沿って上昇し、中空糸膜２２に振動を与えて目詰まりを防ぎ効率よく浸透水を得ることができる。
【００１８】  次に、調整バルブ１１を開放してエアリフト管５の下側からエアを送給する。エアリフト管５内を気泡が上昇するのに伴い、中空糸膜式ろ過装置２０内のろ過液は上方へ押し上げられて移流管１３を介して移送される。バルブ８を調整して移流量が調節される。また、循環管７からは余剰のろ過液が固液分離槽１０に戻されるとともに循環管７はエア抜きの役目も行う。
【００１９】  さらに、図示していないが従来から平幕式ろ過装置も知られている。この平幕式ろ過装置は、枠体の両面に平らな布製のろ過膜を展張したものでこれらを多数並設して構成されている。各ろ過膜をミクロン単位で通過したろ過液を集めて取り出す仕組みとなっている。この平膜式ろ過装置においても、その下方から散気装置で気泡を平幕に沿って上昇させ、平幕に振動を与えて目詰まりを押さえるようにしている。
【００２０】  このような装置において、前述のように散気装置のエアの一部を利用してエアリフト管によってろ過液を移送するように工夫している。
【００２１】  本発明は、前述の構成としたことにより、ばっ気用のために使用していたエア供給管を分岐してエアリフト管の底部に連通することにより、吸引ポンプを駆動する操作盤、電磁弁、および、フロートスイッチなどが一切不要となり、コスト低減を図った安価なばっ気式ろ過装置が提供できた。
【符号の説明】
【００２２】１  ろ過箱
２  微細目スクリーン
３  エア供給管
４  散気装置
５  エアリフト管
６  気泡
７  循環管
８  バルブ
９  エア送給管
１０  固液分離槽
１１  調整バルブ
１２  汚水面
１３  移流管
２０  中空糸膜式ろ過装置
２１  中空糸
２２  中空糸膜
２３  枠体
２４  流路
【図１】
2013240775.tif 000003
【図２】
2013240775.tif 000004
【図３】
2013240775.tif 000005
【図４】
2013240775.tif 000006